(57)【要約】【課題】ホルダやレンズなどの各構成を容易に位置決めできて製造を簡易に行うことのできるカメラモジュールを提供する。【解決手段】周縁に円筒部２１、２６を有したレンズ２を保持する筒状のホルダ１と、ホルダ１の下部に配置されレンズ２からの光が集光される撮像素子４を上面に備えた基板３とを有し、撮像素子４の上面及び側面に当接して位置決めされるスペーサ部材５を設け、レンズ２は円筒部２１の下面がスペーサ部材５の上面を基準に光軸方向に位置決めされ、ホルダ１はレンズ２の円筒部２６の上面を基準に光軸方向に位置決めされると共に、スペーサ部材５の外周面を基準にレンズ２の半径方向に位置決めされ、下端部で基板３に対して接着固定される。【選択図】図１
2008258813.tif 000002
【特許請求の範囲】
【請求項１】
周縁に円筒部を有したレンズを保持する筒状のホルダと、該ホルダの下部に配置され前記レンズからの光が集光される撮像素子を上面に備えた基板とを有したカメラモジュールにおいて、
前記撮像素子の上面及び側面に当接して位置決めされるスペーサ部材を設け、前記レンズは前記円筒部の下面が前記スペーサ部材の上面を基準に光軸方向に位置決めされ、前記ホルダは前記レンズの円筒部の上面を基準に光軸方向に位置決めされると共に、前記スペーサ部材の外周面を基準に前記レンズの半径方向に位置決めされ、下端部で前記基板に対して接着固定されることを特徴とするカメラモジュール。
【請求項２】
前記スペーサ部材の上面は平面状に形成されると共に、前記レンズと対向する位置に絞り部を有してなることを特徴とする請求項１記載のカメラモジュール。
【請求項３】
前記スペーサ部材の上面には平板状のフィルタが載置され、該フィルタの上面に前記レンズの円筒部が載置されることで、前記レンズが前記スペーサ部材の上面を基準に光軸方向に位置決めされることを特徴とする請求項２記載のカメラモジュール。
【請求項４】
前記レンズは複数設けられ、下方に配置されるレンズの円筒部の上面に対し上方に配置されるレンズの円筒部が載置されることを特徴とする請求項１〜３のいずれか１項に記載のカメラモジュール。
【発明の詳細な説明】
【技術分野】
【０００１】
本発明は、レンズを保持したホルダと撮像素子を備えた基板とを有するカメラモジュールに関し、特にレンズ及びホルダの位置決めを簡易に行うことのできるカメラモジュールに関する。
【背景技術】
【０００２】
従来、レンズを保持する筒状のバレルと、このバレルを保持するベース部と、ベース部の下部に配置され、レンズからの光が集光される撮像素子を上面に備えた基板とを有するカメラモジュールが知られている。このようなカメラモジュールにおいては、ベース部は基板に対して接着により固定され、バレルはベース部に対してレンズの光軸方向に位置調整された上で接着により固定され、またレンズはバレルに対して接着により固定されていた。このようなカメラモジュールとしては、例えば特許文献１に挙げるようなものがある。
【特許文献１】特開２００１−２９２３６５号公報
【発明の開示】
【発明が解決しようとする課題】
【０００３】
しかし、従来のカメラモジュールにおいては、各接着位置においてそれぞれレンズの光軸方向及び半径方向の位置決めを正確に行う必要があった。このため、製造に手間がかかると共に、コストアップの原因となっていた。
【０００４】
本発明は上記課題を鑑みてなされたものであり、ホルダやレンズなどの各構成を容易に位置決めできて製造を簡易に行うことのできるカメラモジュールを提供することを目的とする。
【課題を解決するための手段】
【０００５】
上記課題を解決するため、本発明に係るカメラモジュールは、周縁に円筒部を有したレンズを保持する筒状のホルダと、該ホルダの下部に配置され前記レンズからの光が集光される撮像素子を上面に備えた基板とを有したカメラモジュールにおいて、
前記撮像素子の上面及び側面に当接して位置決めされるスペーサ部材を設け、前記レンズは前記円筒部の下面が前記スペーサ部材の上面を基準に光軸方向に位置決めされ、前記ホルダは前記レンズの円筒部の上面を基準に光軸方向に位置決めされると共に、前記スペーサ部材の外周面を基準に前記レンズの半径方向に位置決めされ、下端部で前記基板に対して接着固定されることを特徴として構成されている。
【０００６】
また、本発明に係るカメラモジュールは、前記スペーサ部材の上面は平面状に形成されると共に、前記レンズと対向する位置に絞り部を有してなることを特徴として構成されている。
【０００７】
さらに、本発明に係るカメラモジュールは、前記スペーサ部材の上面には平板状のフィルタが載置され、該フィルタの上面に前記レンズの円筒部が載置されることで、前記レンズが前記スペーサ部材の上面を基準に光軸方向に位置決めされることを特徴として構成されている。
【０００８】
さらにまた、本発明に係るカメラモジュールは、前記レンズは複数設けられ、下方に配置されるレンズの円筒部の上面に対し上方に配置されるレンズの円筒部が載置されることを特徴として構成されている。
【発明の効果】
【０００９】
本発明に係るカメラモジュールによれば、撮像素子の上面及び側面に当接して位置決めされるスペーサ部材を設け、レンズは円筒部の下面がスペーサ部材の上面を基準に光軸方向に位置決めされ、ホルダはレンズの円筒部の上面を基準に光軸方向に位置決めされると共に、スペーサ部材の外周面を基準にレンズの半径方向に位置決めされ、下端部で基板に対して接着固定されることにより、撮像素子に対してレンズの光軸方向及び半径方向に位置決めされたスペーサ部材を基準にレンズやホルダを容易に位置決めすることができるので、製造を簡易にしてコストダウンを図ることができる。
【００１０】
また、本発明に係るカメラモジュールによれば、スペーサ部材の上面は平面状に形成されると共に、レンズと対向する位置に絞り部を有してなることにより、スペーサ部材に絞りの機能を持たせることができて、部品点数を少なくすることができる。
【００１１】
さらに、本発明に係るカメラモジュールによれば、スペーサ部材の上面には平板状のフィルタが載置され、フィルタの上面にレンズの円筒部が載置されることで、レンズがスペーサ部材の上面を基準に光軸方向に位置決めされることにより、フィルタの位置決めを容易にできると共に、レンズもフィルタに対して載置するだけでスペーサ部材に対する位置決めを容易に行うことができる。
【００１２】
さらにまた、本発明に係るカメラモジュールによれば、レンズは複数設けられ、下方に配置されるレンズの円筒部の上面に対し上方に配置されるレンズの円筒部が載置されることにより、複数のレンズにより光学系を構成しても、相互間の位置調整を容易に行うことができる。
【発明を実施するための最良の形態】
【００１３】
本発明の実施形態について図面に沿って詳細に説明する。図１には、本実施形態におけるカメラモジュールの断面図を示している。この図に示すように、本実施形態におけるカメラモジュールは、レンズ２を内部に保持した筒状のホルダ１と、撮像素子４を上面に備えた基板３と、撮像素子４に対して位置決めされてレンズ２やホルダ１の位置決めの基準面を有するスペーサ部材５とを有し、レンズ２で集光した光を撮像素子４で電気信号に変換するものである。
【００１４】
ホルダ１は、上部に平板状に形成された上面部１０を有し、上面部１０の中央部には開口部１１が形成されて、外部の光をホルダ１内に取り込むようにしている。上面部１０の下方部には、レンズ２を保持できるように円筒状に形成された鏡筒部１２を備える。さらにその下方部には、基板３に対して固定されるベース部１３が一体的に形成されている。ベース部１３の下面は、接着剤１４によって基板３に固着されている。
【００１５】
ホルダ１の内部に前述したレンズ２とスペーサ部材５が納められていると共に、スペーサ部材５とレンズ２との間には平板状に形成されたフィルタ６が設けられている。また、レンズ２は下方に設けられる第１のレンズ２ａと、その上方に設けられる第２のレンズ２ｂとの２つのレンズからなっており、第２のレンズ２ｂが第１のレンズ２ａの上に載置されて光学系を構成している。
【００１６】
第１のレンズ２ａは、中央部のレンズ部２０と、その周縁部に一体的に形成される円筒状の円筒部２１とからなっている。円筒部２１の上面２１ａと下面２１ｂは、それぞれ平面状に形成されている。また、第２のレンズ２ｂも同様に、中央部のレンズ部２５と、円筒部２６とが一体的に形成されている。また、円筒部２６の上面２６ａと下面２６ｂは、それぞれ平面状に形成されている。第１のレンズ２ａは、円筒部２１の外周面が鏡筒部１２の内周面に当接しており、第２のレンズ２ｂも、円筒部２６の外周面が鏡筒部１２の内周面に当接している。
【００１７】
スペーサ部材５は、下部には撮像素子４に対して適合するように略四角柱状の基部３０が形成され、その上部には円筒状の円筒部３２が一体的に形成されている。また、円筒部３２の上部には平板状の上面部３４が形成され、その中央部には開口が形成されて絞り部３６を構成している。
【００１８】
次に、各部材の位置決め関係について説明する。図２には、カメラモジュールの分解断面図を示している。この図に示すように、撮像素子４は基板３の上面に接着により固定されている。この撮像素子４に対し、スペーサ部材５が載置される。スペーサ部材５の基部３０には、下端部に断面略Ｌ字状の当接部３１が形成されており、図１に示すように、この当接部３１が撮像素子４の上面周縁部及び側面に当接することによって、スペーサ部材５を撮像素子４に対して、レンズ２が設けられた際におけるその光軸方向及び半径方向に正確に位置決めすることができる。なお、スペーサ部材５は、撮像素子４に対して正確に位置決めするため、当接部３１のみで支持されており、したがって当接部３１は、その下面と基板３との間に隙間を有するように形成される。
【００１９】
このように撮像素子４に対して正確に位置決めされたスペーサ部材５を、上方から積み重ねられるその他の部材の位置決めの基準とする。このうち、レンズ２の光軸方向における位置決めの基準面は、スペーサ部材５を構成する上面部３４の上基準面３５とし、レンズ２の半径方向における位置決めの基準面は、スペーサ部材５を構成する円筒部３２の外周基準面３３とする。
【００２０】
図２に示すように、スペーサ部材５の上面部３４には、フィルタ６が載置される。フィルタ６は、平板状に形成されているので、その下面が上面部３４の上基準面３５に当接し、図１に示すようにレンズ２の光軸方向に位置決めされる。また、フィルタ６に対して、第１のレンズ２ａが載置される。第１のレンズ２ａの円筒部２１の下面２１ｂは、平面状に形成されているので、この下面２１ｂがフィルタ６の上面に当接することで、図１に示すように第１のレンズ２ａがその光軸方向に位置決めされる。さらに、第１のレンズ２ａに対しては第２のレンズ２ｂが載置される。ここでは前述のように、第２のレンズ２ｂの円筒部２６の下面２６ｂが第１のレンズ２ａの円筒部２１の上面２１ａに当接することで、図１に示すように第２のレンズ２ｂがその光軸方向に位置決めされる。
【００２１】
また、第２のレンズ２ｂに対して、ホルダ１が載置される。ホルダ１を構成する上面部１０は、平板状に形成されているので、その下面が第２のレンズ２ｂの円筒部２６の上面２６ａに当接することにより、図１に示すようにホルダ１がレンズ２の光軸方向に位置決めされる。また、ホルダ１は、鏡筒部１２の内周面１２ａがスペーサ部材５の外周基準面３３に当接することにより、レンズ２の半径方向に位置決めされる。これに伴って、鏡筒部１２の内周面１２ａに外周面が当接するフィルタ６と第１のレンズ２ａ及び第２のレンズ２ｂも、レンズ２の半径方向に位置決めされる。
【００２２】
ホルダ１は、第２のレンズ２ｂに載置された状態で、ベース部１３の下面が基板３との間に隙間を有するように形成されている。この隙間に対し図１に示すように接着剤１４が設けられて、ホルダ１が基板３に対して接着固定される。
【００２３】
このように、撮像素子４の上面及び側面に対して当接して位置決めされるスペーサ部材５を設け、その上面３５と外周面３２を基準面として、フィルタ６、第１のレンズ２ａ、第２のレンズ２ｂ、及びホルダ１を積み重ねるように設けたことにより、部品間における位置調整を行わなくても、組み立てるだけで容易に位置決めを行うことができるので、製造を簡易にすることができる。なお、このためには各部品の寸法精度を高くする必要があり、特に撮像素子４の製造時における厚みや切断寸法を正確にする必要がある。
【００２４】
以上、本発明の実施形態について説明したが、本発明の適用は本実施形態には限られず、その技術的思想の範囲内において様々に適用されうるものである。
【図面の簡単な説明】
【００２５】
【図１】本実施形態におけるカメラモジュールの断面図である。
【図２】カメラモジュールの分解断面図である。
【符号の説明】
【００２６】
１    ホルダ
２    レンズ
３    基板
４    撮像素子
５    スペーサ部材
６    フィルタ
１０    上面部
１１    開口部
１２    鏡筒部
１３    ベース部
２０    レンズ部
２１    円筒部
２５    レンズ部
２６    円筒部
３０    基部
３１    当接部
３２    円筒部
３４    上面部
３６    絞り部
【図１】
2008258813.tif 000003
【図２】
2008258813.tif 000004